(57)【要約】【課題】ジョグダイヤルの回転操作方向を、ジョグダイヤルの中心側の表示部に表示し、正確に回転操作方向を案内する据え置き型リモートコントロール送信機を提供する。【解決手段】入力スイッチの入力操作により、被制御機器を回転動作制御する制御内容が選択された制御モードで、操作部の回転中心軸側に露出する筐体の平面に取り付けられた表示部は、回転動作制御の回転動作方向を表示し、表示部に表示される回転動作方向に一致する方向の操作部の回転操作により、被制御機器を表示部に表示される回転動作方向へ回転動作制御する。【選択図】図７
2010062685.tif 000002
【特許請求の範囲】
【請求項１】
底面を載置面とした筐体と、
筐体に回転自在に取り付けられる操作部と、
操作部の回転中心軸回りの回転方向を検出する回転検出手段と、
被制御機器を制御する複数の制御内容を表示する表示部と、
筐体に取り付けられ、入力操作により表示部に表示される複数の制御内容から特定の制御内容を選択する入力スイッチと、
入力スイッチの入力操作により特定の制御内容が選択された制御モードで、回転検出手段が検出した回転方向から、被制御機器を選択された制御内容で制御する制御データを生成する操作信号生成手段と、
制御データをＲＦ信号により複数の被制御機器へ送信するＲＦ送信手段とを備え、
操作部の回転移動軌跡の回転中心軸側に露出する筐体の平面に、表示部が取り付けられ、
被制御機器を回転動作制御する制御内容が選択された制御モードで、
表示部は、選択された回転動作制御の回転動作方向を表示し、
操作信号生成手段は、表示部に表示される回転動作方向に一致する操作部の回転方向から、被制御機器を表示部に表示される回転動作方向へ回転動作制御する制御データを生成することを特徴とする据え置き型リモートコントロール送信機。
【請求項２】
回転検出手段は、操作部の中心軸回りの回転方向と回転角度を検出し、
操作信号生成手段は、被制御機器を回転動作制御する制御内容が選択された制御モードで、
表示部は、選択された回転動作制御の回転動作方向と回転動作角度から特定される被制御機器の回転姿勢を表示し、
操作信号生成手段は、表示部に表示される回転姿勢に一致する操作部の回転方向と回転角度から、被制御機器を表示部に表示される回転姿勢へ回転動作制御する制御データを生成することを特徴とする請求項１に記載の据え置き型リモートコントロール送信機。
【請求項３】
被制御機器を回転動作制御する制御内容が、ブラインドのスラットを回転動作制御する制御であることを特徴とする請求項２に記載の据え置き型リモートコントロール送信機。
【請求項４】
操作部が回転中心軸回りの円環状に形成され、表示部は、円環状の操作部に囲まれた開口に露出する筐体の平面に取り付けられることを特徴とする請求項１乃至３に記載の据え置き型リモートコントロール送信機。
【請求項５】
底面を載置面とした筐体と、
筐体に回転自在に取り付けられる操作部と、
操作部の回転中心軸回りの回転方向を検出する回転検出手段と、
操作部の回転移動軌跡の回転中心軸側に露出する筐体の平面に取り付けられ、複数の被制御機器と、各被制御機器をそれぞれ制御する複数の制御内容を表示する表示部と、
筐体に取り付けられ、入力操作により表示部に表示される複数の被制御機器と複数の制御内容から特定の被制御機器と制御内容を選択する入力スイッチと、
入力スイッチの入力操作により特定の被制御機器とその被制御機器を制御する特定の制御内容が選択された制御モードで、選択された被制御機器を選択された制御内容で制御する制御データを生成する操作信号生成手段と、
制御データをＲＦ信号により複数の被制御機器へ送信するＲＦ送信手段とを備え、
表示部は、被制御機器を選択する入力モードで、複数の各被制御機器をそれぞれ表すアイコンを、筐体の載置位置から各被制御機器の設置方向に対応する位置へ表示するとともに、回転検出手段が検出する操作部の回転方向と同一回りでアイコン間にカーソルを移動表示し、
入力スイッチを入力操作した際に、カーソルの表示位置のアイコンで表される被制御機器を、入力スイッチの入力操作により選択された被制御機器として制御モードを生成することを特徴とする据え置き型リモートコントロール送信機。
【請求項６】
表示部は、制御内容を選択する入力モードで、複数の被制御機器の制御を連続して制御する連続制御内容を表示し、
操作信号生成手段は、入力スイッチの入力操作により表示部に表示される特定の連続制御内容が選択された制御モードで、選択された連続制御内容に従って複数の被制御機器を連続制御する制御データを生成することを特徴とする請求項５に記載の据え置き型リモートコントロール送信機。
【請求項７】
操作部が回転中心軸回りの円環状に形成され、表示部は、円環状の操作部に囲まれた開口に露出する筐体の平面に取り付けられることを特徴とする請求項５又は請求項６に記載の据え置き型リモートコントロール送信機。
【発明の詳細な説明】
【技術分野】
【０００１】
本発明は、被制御機器に制御データを送信して制御する据え置き型リモートコントロール送信機に関し、更に詳しくは、回転操作する操作部を備えた据え置き型リモートコントロール送信機に関する。
【背景技術】
【０００２】
従来、ＤＶＤレコーダなどの映像再生機器を遠隔制御するリモートコントロール送信機として、ジョグダイヤルといわれる円環状のダイヤルキーをケースへ回転自在に取り付け、ジョグダイヤルの回転操作に応じて、ＤＶＤレコーダに記録された録画をコマ送り再生や変速再生制御するリモートコントロール送信機が知られている（特許文献１）。
【０００３】
このようなリモートコントロール送信機では、液晶パネルなどの表示部に制御内容（例えば、電源のＯＮ、ＯＦＦ、早送り、巻き戻し、再生など）を表示し、ジョグダイヤルと別にケースに取り付けられた決定キーでいずれかの制御内容を選択した後、例えば、「再生」が選択されると、ジョグダイヤルの回転操作による回転角度に応じた制御データをＤＶＤレコーダへ送信し、録画のコマ送り再生制御を行っている。
【０００４】
また、電動ブラインドのスラット角度調節の回転動作を遠隔制御するリモートコントロール送信機も知られている（特許文献２）。このリモートコントロール送信機の平面には、右下がりと右上がりのスラットの姿勢がそれぞれ表示された一対の入力スイッチが取り付けられ、各入力スイッチを入力操作すると、スラット角度調節用モータの動作を制御する制御データを含む赤外線のリモコン信号ＲＳが、リモートコントロール送信機を向けた電動ブラインドに送信される。
【０００５】
一対の入力スイッチの制御データは、スラット角度調節用モータを正、逆方向に回転動作制御し、これにより右下がりのスラットの姿勢が表示された入力スイッチを入力操作すると、スラットが右下がりに回転し、左下がりのスラットの姿勢が表示された入力スイッチを入力操作すると、スラットが左下がりに回転するように回転動作制御される。従って、いずれかの入力スイッチを入力操作することにより、スラットの回転姿勢を任意に制御して、最適な採光量が得られる。
【０００６】
【特許文献１】特開２００７−３６５０８号公報（第３頁３６行乃至５０行、第４頁２６行乃至３２行、図１、図３）
【特許文献２】特開２０００−２４０３７５号公報（第３頁４欄３５行乃至第４頁５欄１３行、図１、図２）
【発明の開示】
【発明が解決しようとする課題】
【０００７】
特許文献１のリモートコントロール送信機は、ケースを手で握ることができるように、ケースが縦長の形状に形成され、その長手方向の上下に分けて、複数の制御内容を表示する表示部と円環状操作部であるジョグダイヤルとが取り付けられている。従って、ジョグダイヤルと表示部が離れているので、所望の制御を行うためのジョグダイヤルの回転方向を表示部の表示により案内することができず、いずれの方向へ回転操作すればよいかを操作者へ伝達できないという問題があった。
【０００８】
また、被制御機器をジョグダイヤルの回転操作に応じて回転動作制御する場合に、リモートコントロール装置と被制御機器の相対位置によっては、被制御機器の回転動作方向がジョグダイヤルの回転操作方向と逆方向になる場合があり、操作者はジョグダイヤルの回転操作方向を誤ったり、違和感をもって回転操作することとなるものであった。
【０００９】
また、特許文献２のリモートコントロール送信機は、回転動作制御する被制御機器の回転姿勢を入力スイッチに表示し、入力スイッチを入力操作することによる被制御機器の回転動作方向を案内しているが、入力スイッチを入力操作するスイッチの押し下げ方向と、被制御機器の回転姿勢や回転動作方向は、全く無関係であり、同様に違和感のある入力操作となっていた。
【００１０】
更に、スラットは、入力スイッチを入力操作している間に、スラット角度調節用モータの回転により回転動作制御されるが、入力スイッチの入力操作とスラットの回転動作の間にタイムラグが生じるので、スラットの姿勢を微調整することは極めて困難であった。
【００１１】
本発明は、このような従来の問題点を考慮してなされたものであり、ジョグダイヤルの回転操作方向を、ジョグダイヤルの回転中心側の表示部に表示し、正確に回転操作方向を案内する据え置き型リモートコントロール送信機を提供することを目的とする。
【００１２】
また、ジョグダイヤルを回転操作する回転方向や回転角度を、その回転操作により制御される被制御機器の回転動作方向や回転動作角度に一致させ、違和感なく、正確に回転操作を行うことができる据え置き型リモートコントロール送信機を提供することを目的とする。
【００１３】
また、被制御機器の回転動作方向と回転動作角度を、微調整制御することが可能な据え置き型リモートコントロール送信機を提供することを目的とする。
【課題を解決するための手段】
【００１４】
上述の目的を達成するため、請求項１の据え置き型リモートコントロール送信機は、底面を載置面とした筐体と、筐体に回転自在に取り付けられる操作部と、操作部の回転中心軸回りの回転方向を検出する回転検出手段と、被制御機器を制御する複数の制御内容を表示する表示部と、筐体に取り付けられ、入力操作により表示部に表示される複数の制御内容から特定の制御内容を選択する入力スイッチと、入力スイッチの入力操作により特定の制御内容が選択された制御モードで、回転検出手段が検出した回転方向から、被制御機器を選択された制御内容で制御する制御データを生成する操作信号生成手段と、制御データをＲＦ信号により複数の被制御機器へ送信するＲＦ送信手段とを備え、操作部の回転移動軌跡の回転中心軸側に露出する筐体の平面に、表示部が取り付けられ、被制御機器を回転動作制御する制御内容が選択された制御モードで、表示部は、選択された回転動作制御の回転動作方向を表示し、操作信号生成手段は、表示部に表示される回転動作方向に一致する操作部の回転方向から、被制御機器を表示部に表示される回転動作方向へ回転動作制御する制御データを生成することを特徴とする。
【００１５】
表示部が、操作部の回転移動軌跡の回転中心軸側に露出する筐体の平面に取り付けられるので、操作部の回転操作方向が操作者へ明確に伝えられる。
【００１６】
操作部の回転操作する回転操作方向に一致させて、その回転操作によって制御される被制御機器の回転方向を表示部に表示するので、表示部で制御しようとする回転動作方向を確認しながら、違和感なく操作部を回転操作することができる。
【００１７】
請求項２の据え置き型リモートコントロール送信機は、回転検出手段が、円環状操作部の中心軸回りの回転方向と回転角度を検出し、操作信号生成手段は、被制御機器を回転動作制御する制御内容が選択された制御モードで、表示部は、選択された回転動作制御の回転動作方向と回転動作角度から特定される被制御機器の回転姿勢を表示し、操作信号生成手段は、表示部に表示される回転姿勢に一致する円環状操作部の回転方向と回転角度から、被制御機器を表示部に表示される回転姿勢へ回転動作制御する制御データを生成することを特徴とする。
【００１８】
操作部の回転操作する回転操作方向や回転角度に一致させて、その回転操作によって制御される被制御機器の回転方向と回転角度から特定される回転姿勢を表示部へ表示するので、表示部で制御しようとする回転姿勢をみながら、操作部の回転方向や回転角度を調整して回転操作することができる。
【００１９】
操作部の回転方向と回転角度から、被制御機器を表示部に表示される回転姿勢へ回転動作制御する制御データが生成されるので、操作部を微小回転操作させることにより、被制御機器の回転姿勢を微調整制御できる。
【００２０】
請求項３の据え置き型リモートコントロール送信機は、被制御機器を回転動作制御する制御内容が、ブラインドのスラットを回転動作制御する制御であることを特徴とする。
【００２１】
スラットの回転方向と回転角度で特定される回転姿勢が表示部に表示されるので、操作部の回転操作方向と回転角度を、表示部に表示された回転姿勢を目安に回転操作することができる。
【００２２】
請求項４の据え置き型リモートコントロール送信機は、操作部が回転中心軸回りの円環状に形成され、表示部は、円環状の操作部に囲まれた開口に露出する筐体の平面に取り付けられることを特徴とする。
【００２３】
表示部が、円環状の操作部に囲まれた開口に露出するので、操作部の回転操作方向が操作者へ明確に伝えられる。
【００２４】
請求項５の据え置き型リモートコントロール送信機は、底面を載置面とした筐体と、
筐体に回転自在に取り付けられる操作部と、
操作部の回転中心軸回りの回転方向を検出する回転検出手段と、
操作部の回転移動軌跡の回転中心軸側に露出する筐体の平面に取り付けられ、複数の被制御機器と、各被制御機器をそれぞれ制御する複数の制御内容を表示する表示部と、
筐体に取り付けられ、入力操作により表示部に表示される複数の被制御機器と複数の制御内容から特定の被制御機器と制御内容を選択する入力スイッチと、
入力スイッチの入力操作により特定の被制御機器とその被制御機器を制御する特定の制御内容が選択された制御モードで、選択された被制御機器を選択された制御内容で制御する制御データを生成する操作信号生成手段と、
制御データをＲＦ信号により複数の被制御機器へ送信するＲＦ送信手段とを備え、
表示部は、被制御機器を選択する入力モードで、複数の各被制御機器をそれぞれ表すアイコンを、筐体の載置位置から各被制御機器の設置方向に対応する位置へ表示するとともに、回転検出手段が検出する操作部の回転方向と同一回りでアイコン間にカーソルを移動表示し、
入力スイッチを入力操作した際に、カーソルの表示位置のアイコンで表される被制御機器を、入力スイッチの入力操作により選択された被制御機器として制御モードを生成することを特徴とする。
【００２５】
ＲＦ信号により制御データを被制御機器へ送信するので、被制御機器の位置によってリモートコントロール送信機を移動させず、筐体と複数の被制御機器との相対位置を一定とすることができる。表示部は、被制御機器を選択する入力モードで、複数の各被制御機器をそれぞれ表すアイコンを、筐体との相対位置が一定である各被制御機器の設置方向に対応する位置へ表示するので、表示部に表示されるアイコンと制御する被制御機器との関係が違和感なく操作者に認識される。
【００２６】
アイコン間を移動するカーソルの移動方向は、操作部の回転操作方向に一致するので、複数の被制御機器の設置方向に合わせて、設置位置と同一回りで操作部を回転操作し、カーソルを移動させることにより被制御機器を選択できる。
【００２７】
請求項６の据え置き型リモートコントロール送信機は、表示部は、制御内容を選択する入力モードで、複数の被制御機器の制御を連続して制御する連続制御内容を表示し、操作信号生成手段は、入力スイッチの入力操作により表示部に表示される特定の連続制御内容が選択された制御モードで、選択された連続制御内容に従って複数の被制御機器を連続制御する制御データを生成することを特徴とする。
【００２８】
表示部に表示される特定の連続制御内容を選択することにより、複数の被制御機器を連続制御する制御データが生成されるので、制御内容毎に入力スイッチを入力操作する必要がない。
【００２９】
請求項７の据え置き型リモートコントロール送信機は、操作部が回転中心軸回りの円環状に形成され、表示部は、円環状の操作部に囲まれた開口に露出する筐体の平面に取り付けられることを特徴とする。
【００３０】
表示部が、円環状の操作部に囲まれた開口に露出するので、操作部の回転操作方向が操作者へ明確に伝えられる。
【発明の効果】
【００３１】
請求項１の発明によれば、回転操作する操作部の中心に表示部が配置されるので、制御内容によって異なる操作部の回転操作方向を表示部の表示で誤りなく操作者へ伝えることができる。
【００３２】
また、被制御機器の回転動作方向を表示部に表示し、その回転動作制御を行うための円環状操作部の回転操作方向を表示部に表示される方向と一致させたので、違和感なく回転操作を行うことができる。
【００３３】
請求項２の発明によれば、表示部に制御しようとする被制御機器の回転姿勢が表示されるので、表示部により、操作部の回転方向や回転角度が案内され、誤りなく回転操作することができる。
【００３４】
被制御機器の回転動作制御を、回転操作する操作部の回転角度により微調整制御できる。
【００３５】
請求項３の発明によれば、スラットの回転動作を、回転動作と違和感のない操作部の回転操作によって、制御できる。また、操作部の回転角度に応じて、スラットの回転動作角度を調整できるので、微小回転操作によりスラットの回転姿勢を微調整できる。
【００３６】
請求項４と請求項７の発明によれば、円環状の操作部に囲まれた開口内の表示部に、選択された回転動作制御の回転動作方向と一致する操作部の回転操作方向が表示されるので、操作者に操作方向が明確に伝えられる。また、円環状の操作部に囲まれた開口の内側に表示部が取り付けられるので、筐体の外形を小型化することができる。
【００３７】
請求項５の発明によれば、複数の被制御機器の設置方向に合わせて、被制御機器を表すアイコンを表示部に表示するので、誤りなく制御しようとする被制御機器を選択できる。
【００３８】
また、複数の被制御機器の設置方向に合わせて、複数の被制御機器の設置位置と同一回りで、操作部を回転操作するので、被制御機器の設置位置と違和感なく、操作部を回転操作することができる。
【００３９】
請求項６の発明によれば、複数の被制御機器に対する複数の制御内容を、一回の入力スイッチの入力操作で制御することができる。
【発明を実施するための最良の形態】
【００４０】
以下、本発明の一実施の形態に係る据え置き型リモートコントロール送信機１を、図１乃至図９を用いて説明する。図１は、据え置き型リモートコントロール送信機１の斜視図、図２は、同縦断面図、図３は、据え置き型リモートコントロール送信機１の上方から見た分解斜視図、図４は、同下方から見た分解斜視図である。
【００４１】
図３、図４に示すように、据え置き型リモートコントロール送信機１は、小径円板部２１と大径円板部２２とから構成される絶縁性のケース２と、小径円板部２１と大径円板部２２間に挟まれて取り付けられる円形のプリント配線基板３と、リング状のジョグダイヤル４１と作動リング４２とから構成される円環状操作部４と、小径円板部２１の平面側に操作摘みを臨ませた３個の入力スイッチ１１、１２、１３及び液晶表示素子５とを備えている。
【００４２】
小径円板部２１は、合成樹脂で円板状に形成されたもので、その底面（図２において下面）側から液晶表示素子５が取り付けられ、平面側に連通する長方形状の開口内に液晶表示素子５の表示画面が臨んでいる。また、この長方形状の開口の一側に沿って、３個の入力スイッチ１１、１２、１３の各操作摘み１１ａ、１２ａ、１３ａが平面側に出没自在に取り付けられ、底面側にプリント配線基板３を取り付けると、それぞれプリント配線基板３に実装される入力スイッチ１１、１２、１３上となる部位に取り付けられる。
【００４３】
小径円板部２１の外周縁部２１ａは、円形の輪郭で、その外周縁部２１ａの底面側のやや中心寄りに、外周縁部２１ａの輪郭に沿った９０度間隔の４カ所の位置から、円弧状のガイド片２１ｂが垂設されている（図４参照）。ジョグダイヤル４１の中心開口４１ａが形成される内周縁の円筒形内側面は、円形の段部４１ｂを介して上側の内側面の内径が、小径円板部２１の外周縁部２１ａの外径よりわずかに長く、下側の内側面の内径が外周縁部２１ａの外径より短く、４片のガイド片２１ｂで形成される円の直径よりわずかに長くなっている。これにより、中心開口４１ａへ上方からを組み入れたジョグダイヤル４１は、段部４１ｂに外周縁部２１ａが当接して、小径円板部２１に対して相対的に上方への移動が規制されるとともに、上側の内側面と下側の内側面が、それぞれ小径円板部２１の外周縁部２１ａとガイド片２１ｂに沿って摺動し、回動自在に案内される。
【００４４】
小径円板部２１の底面には、更に、４カ所の位置に、円筒内面にネジ孔が螺刻されたネジ受け突起２３が垂設され、このネジ受け突起２３にプリント配線基板３と大径円板部２２を挿通させたネジ１４をネジ止めする。ネジ受け突起２３の外径は、プリント配線基板３の４カ所に穿設された挿通孔３１の内径より長く、従って、ネジ止めされる小径円板部２１の底面とプリント配線基板３間の間隔は、ネジ受け突起２３の高さに等しく、この高さは、プリント配線基板３上に実装される各回路部品の高さより高く、入力スイッチ１１、１２、１３が、押し下げ操作していない各操作摘み１１ａ、１２ａ、１３ａの底面に接触する高さとなっている。
【００４５】
プリント配線基板３の平面には、上述した入力スイッチ１１、１２、１３の他、液晶表示素子５のドライバーを兼ねた図５に示すマイコン７、ＲＦ通信モジュール８及びレバー式検出スイッチ９が実装されている。レバー式検出スイッチ９は、プリント配線基板３の円形の輪郭に沿って可動する可動端子９ａが、プリント配線基板３の周縁から半径方向の外方に突出するように、プリント配線基板３の周縁に実装されている。また、プリント配線基板３の底面には、平面側の電源パターンに一端を接続させた一対のワイヤコンタクト１０が取り付けられている。
【００４６】
大径円板部２２は、合成樹脂で、小径円板部２１の外径より長い外径の円板状に形成され、円形の外周に沿った外周縁部２２ａの平面に、断面が半円形状の下ガイド溝２６が凹設されている。図３に示すように、この下ガイド溝２６には、下ガイド溝２６内を転動する８個のボール１７と、ボール１７間の間隔を保持する円弧状のスペーサ１８が収容されている。スペーサ１８は、大径円板部２２を形成する合成樹脂との摩擦力が少ないシリコンなどの可撓性材料によって細長の線状に形成されたもので、リング状の下ガイド溝２６に沿って収容されることにより、下ガイド溝２６に沿った円弧状となっている。外周縁部２２ａの下ガイド溝２６とボール１７は、ジョグダイヤル４１を中心軸回りに回動自在に案内する。
【００４７】
大径円板部２２の平面側中央には、直方体状のバッテリー収容部２４が一体に形成されている。バッテリー収容部２４内のバッテリー収容凹部２４ａは、底面側に開口し、底面側から４本のバッテリー１６（図２参照）を収容するようになっている。バッテリー収容部２４の２カ所の部位には、大径円板部２２の平面側にプリント配線基板３を積層した際に、上記一対のワイヤコンタクト１０の先端を、バッテリー収容凹部２４ａ内に臨ませるコンタクト挿通孔２７が穿設され、バッテリー収容凹部２４ａに収容するバッテリー１６の＋電極と−電極を接続させている。これにより、バッテリー収容凹部２４ａ内で直列に接続される４本のバッテリー１６の直流電源が、コンタクト１０とプリント配線基板３の電源パターンを介して、プリント配線基板３に実装される各回路部品に供給される。
【００４８】
また、バッテリー収容部２４の周囲４カ所の位置には、上述の４本のネジ１４を挿通させる挿通孔２５が大径円板部２２の底面まで連通して穿設されている。挿通孔２５の底面側の開口は、バッテリー収容凹部２４ａの開口とともに、底面側にネジ止めされるバッテリーカバー１５（図２参照）で覆われる。
【００４９】
本実施の形態に係る据え置き型リモートコントロール送信機１は、テーブルなどに載置して使用するもので、入力操作の際に、据え置き型リモートコントロール送信機１が移動しないように、大径円板部２２の底面側には、１２０度間隔の３カ所の位置に滑り止めパッド１７が固着されている。
【００５０】
ジョグダイヤル４１は、浅皿状の頂部を円形の中心開口４１ａで開口し、中心開口４１ａの輪郭となる小径の内周縁から大径の外周縁間のリング状の回転操作面４１ｃが中心から外側に向かって下方に傾斜する切頭円錐状に形成されている。上述したように、中心開口４１ａに面する内周縁側の内側面は、段部４１ｂを介して上側の内側面の内径が、下側の内側面の内径より長く、小径円板部２１の外周縁部２１ａとガイド片２１ｂと係合することによって、ジョグダイヤル４１を、小径円板部２１の上方へ抜け止めし、かつ、小径円板部２１の中心軸回りで、回動自在に案内している。
【００５１】
ジョグダイヤル４１の外径は、大径円板部２２の外径に略等しく、外周縁部の底面には、大径円板部２２の下ガイド溝２６と対称形状の断面半円形の上ガイド溝２７が円形の外周縁に沿って凹設されている。この構成によって、同一中心軸線上の大径円板部２２上にジョグダイヤル４１を載置すると、上ガイド溝２７と下ガイド溝２６が対向し、その間にボール１７とスペーサ１８が上ガイド溝２７と下ガイド溝２６の間で転動若しくは摺動自在に収容され、ジョグダイヤル４１が大径円板部２２の中心軸回りで回動自在に案内される。
【００５２】
回転操作面４１ｃの平面には、中心軸回りの等角度間隔で、回転操作の滑り止めとする円形の滑り止め凹部２８が凹設され、また、底面には、中心軸回りの９０度間隔で位置決め円筒部２９が一体に垂設されている。
【００５３】
作動リング４２は、プリント配線基板３の外径よりわずかに大きい内径の円筒部４２ａと、円筒部４２ａの底面から外側に向けて水平方向に突設されたフランジ部４２ｃとから形成される。円筒部４２ａとフランジ部４２ｃとの間には、中心軸回りの等角度間隔で、複数のブラケット片１９が起立して固着され、各ブラケット片１９の先端は、円筒部４２ａを貫通する動作突起１９ａとなっている。
【００５４】
ジョグダイヤル４１の位置決め円筒部２９に対向する作動リング４２のフランジ部４２ｃ平面上には、位置決め円筒部２９に嵌入する位置決め突起３０が立設され、作動リング４２は、位置決め突起３０を位置決め円筒部２９へ嵌入した後、両者を接着剤で固着することによって、ジョグダイヤル４１の回転操作面４１の底面側に固定される。
【００５５】
上述の据え置き型リモートコントロール送信機１の組立は、底面側に作動リング４２を固定したジョグダイヤル４１を、小径円板部２１と大径円板部２２との間に挟んだ状態で、図２、図３に示すように、４本のネジ１４を、大径円板部２２の底面側から、大径円板部２２挿通孔２５とプリント配線基板３の挿通孔３１に挿通し、小径円板部２１のネジ受け突起２３にネジ止めして一体化する。
【００５６】
ネジ止めして組み立てた状態では、上方から順に、小径円板部２１、ジョグダイヤル４１、作動リング４２、プリント配線基板３及び大径円板部２２が、同一中心軸回りで上下に配置され、図２に示すように、ジョグダイヤル４１は、小径円板部２１と大径円板部２２の各外周縁部により、中心軸回りで回動自在に案内される。
【００５７】
また、プリント配線基板３上に実装されたレバー式検出スイッチ９の周囲に、作動リング４２の円筒部４２ａが回動自在に配置され、レバー式検出スイッチ９の可動端子９ａは、円筒部４２ａ内に突出する動作突起１９ａと同一円周上に配置されるとともに、上述したように、入力スイッチ１１、１２、１３の各操作摘み１１ａ、１２ａ、１３ａは、プリント配線基板３に実装された入力スイッチ１１、１２、１３のアクチュエータに接触している。
【００５８】
図５は、据え置き型リモートコントロール送信機１を構成する回路部品を示すブロック図であり、マイコン７に、レバー式検出スイッチ９、入力スイッチ１１、１２、１３、液晶表示素子５及びＲＦ通信モジュール８が接続されている。
【００５９】
レバー式検出スイッチ９は、ジョグダイヤル４１の回転操作による回転方向と回転角度を検出する回転検出素子で、ジョグダイヤル４１が一方向（例えば図５のＡ方向）に回転操作されると、回転方向に移動する動作突起１９ａがレバー式検出スイッチ９の可動端子９ａに当接する毎に、可動端子９ａと回転方向にある固定端子９ｂが接触し、可動端子９ａと固定端子９ｂ間の接触によるパルス信号が発生する。一方、ジョグダイヤル４１が逆方向（例えば図５のＢ方向）に回転操作されると、同様に、可動端子９ａと回転方向にある固定端子９ｃが接触し、可動端子９ａと固定端子９ｃ間の接触によるパルス信号が発生する。マイコン７は、レバー式検出スイッチ９から入力されるパルス信号が、可動端子９ａと固定端子９ｂ間から入力されれば、Ａ方向の回転操作と、可動端子９ａと固定端子９ｃ間から入力されれば、Ｂ方向の回転操作と判別する。また、動作突起１９ａは、ジョグダイヤル４１の中心軸回りに等角度間隔で設けられているので、入力されるパルス信号の発生回数により、ジョグダイヤル４１の回転角度が、所定単位時間内のパルス信号の発生回数により、回転速度が検出される。
【００６０】
尚、可動端子９ａは、中立位置へ復帰する弾性を有し、動作突起１９ａは可動端子９ａから受ける弾性力に抗して可動端子９ａをいずれかの固定端子９ｂ、９ｃへ接触させ、動作突起１９ａが可動端子９ａを乗り越えると、可動端子９ａから受ける弾性力が解かれるので、操作者は、ジョグダイヤル４１を通して、動作突起１９ａが可動端子９ａを乗り越える毎にクリック感を受け、回転操作量（回転操作角度）を含む回転操作感を得ることができる。
【００６１】
マイコン７は、レバー式検出スイッチ９の上記回転操作を表すパルス信号と、入力スイッチ１１、１２、１３の操作信号の入力があると、その入力に応じてカーソル６の移動制御など液晶表示素子５の表示を表示制御し、また、ＲＦ通信モジュール８を通信動作制御する。ここでは、入力スイッチ１１の操作信号を入力すると、そのときに、液晶表示素子５に白抜きのカーソル６で指示される被制御機器、被制御機器の制御動作などの制御内容が選択され、入力スイッチ１２の操作信号を入力すると、制御している被制御機器とＲＦ通信モジュール８により無線通信を行って、その動作状態が液晶表示素子５に表示され、入力スイッチ１３の操作信号を入力すると、入力スイッチ１１で選択した被制御機器や被制御機器の制御動作を表す制御内容の選択がキャンセルされる。また、レバー式検出スイッチ９のパルス信号から、液晶表示素子５に表示されるカーソル６が後述するように移動制御され、入力スイッチ１１により被制御機器を回転制御する制御内容が選択されると、パルス信号の発生回数に応じて被制御機器を回転制御する制御データを生成し、ＲＦ通信モジュール８へ出力する。
【００６２】
ＲＦ通信モジュール８は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）に準拠し、非同期双方向通信でマイコン７と接続している。また、ＲＦ通信モジュール８は、無線通信規格ＩＥＥＥ８０２．１５．４に準拠する仕様で、予めペアリングにより特定される被制御機器と無線通信を行うものであり、マイコン７からの命令を受けて、被制御機器の動作状態を受信し、マイコン７から被制御機器の動作を制御する制御データを受信すると、無線通信により制御データを被制御機器へ送信し、制御データに従った動作を実行させる。
【００６３】
以下、上述のように構成された据え置き型リモートコントロール送信機１の動作を、図６乃至図９を用いて説明する。据え置き型リモートコントロール送信機１を用いていない待機状態では、バッテリー１６の消耗を最小限とするために、マイコン７は、入力スイッチ１１、１２、１３及びレバー式検出スイッチ９からの入力を検出するだけのスリープモードで動作している。
【００６４】
入力スイッチ１１、１２、１３及びレバー式検出スイッチ９のいずれかの入力を検出した初期状態では、液晶表示素子５に図７の１０１で示すメインメニューが表示され、被制御機器の一つであるＴＶの表示位置に反転で表されるカーソル６が表示されている。メインメニューは、制御する被制御機器を選択する入力モードであり、被制御機器の選択は、図６に示すように、ジョグダイヤル４１の滑り止め凹部２８に指を押し当てて中心軸回りに回転させることにより、液晶表示素子５に表示されるカーソル６を移動させる。
【００６５】
カーソル６は、ジョグダイヤル４１の回転方向に一致するように液晶表示素子５の表示画面上を移動し、例えば、ジョグダイヤル４１を図６のＡ方向（反時計回り）へ回転操作すると、マイコン７に可動端子９ａと固定端子９ｂ間から複数のパルス信号が連続して入力され、マイコン７は、Ａ方向の回転操作を検出し、ＴＶの表示位置にあるカーソル６を、１０２に示すＡ方向と同一方向のＡＶアンプの表示位置へ移動させる。
【００６６】
同様の回転操作で制御しようとする被制御機器の表示位置へカーソル６を移動させた後、入力スイッチ１１を入力操作する。ここでは、ＴＶの音量を操作することとし、メインメニューでＴＶの表示位置へカーソル６を移動し（１０１）、入力スイッチ１１を入力操作すると、ＴＶメニューの入力モード（２０１）に液晶表示素子５の表示画面が切り替わる。カーソル６は、メインメニューと同様にジョグダイヤル４１の回転操作方向に一致して移動し、音量を操作するために、ジョグダイヤル４１をＡ方向に回転操作し、ボリュームの表示位置にカーソル６を移動させた状態で（２０２）、入力スイッチ１１を入力操作する。これにより、マイコン７は、ＴＶの音量を制御する制御内容が選択された制御モードに移行する。尚、ＴＶメニューを表示するいずれかの表示画面で、入力スイッチ１３を入力すると、１階層戻ったメインメニューの表示画面（１０１）へ戻る。
【００６７】
カーソル６がボリュームの表示位置にある（２０２）ときに、入力スイッチ１１を入力操作すると、ボリューム調整の入力モード（３０１）に液晶表示素子５の表示画面が切り替わる。ボリューム調整の入力モード（３０１）では、ボリュームのＵｐ若しくはＤｏｗｎ制御の制御内容と共に、これらの制御を行うためのジョグダイヤル４１の回転操作方向が、ジョグダイヤル４１の中心側に配置された液晶表示素子５によってその回転中心回りの矢印で表示される。すなわち、制御内容（ボリュームのＵｐ若しくはＤｏｗｎ）の制御データを生成するジョグダイヤル４１の回転操作方向が、ジョグダイヤル４１の中心側で同一中心軸回りの矢印で案内されるので、操作者は、制御内容についてジョグダイヤル４１の回転操作方向を誤ることなく、回転操作することができる。ジョグダイヤル４１をＡ方向へ回転操作するとＴＶへ音量を下げる制御制御データがＴＶに送信され、Ａ方向の回転角度に応じて、音量が減少するとともに、音量を表示する黒三角マークが減少する表示に移行する（３０２乃至３０４）。また、ジョグダイヤル４１をＢ方向へ回転操作するとＴＶへ音量を上げる制御が行われ、Ｂ方向の回転角度に応じて、音量が増大するとともに、音量を表示する黒三角マークが増加する表示に移行する（３０５乃至３０７）。
【００６８】
次に、ブラインドの遮光制御を行うものとすると、図７の１０１で示すメインメニューから、ジョグダイヤル４１をＡ方向、Ｂ方向のいずれかに回転操作し、図８のブラインドの表示位置へカーソル６を移動させ（１０３）、入力スイッチ１１を入力操作する。液晶表示素子５の表示画面は、ブラインドメニューの入力モード（２０３）に切り替わり、この入力モードでカーソル６を遮光調整に移動させて、入力スイッチ１１を入力操作すると、ブラインドを開閉する方向が図示させたブラインド遮光調整の入力モード（３２０）が表示される。同時に、マイコン７は、ブラインド遮光調整を制御する制御内容が選択された制御モードに移行する。
【００６９】
ブラインド遮光調整の入力モード（３２０）では、ブラインドを側方からみた開閉状態が液晶表示素子５に表示され、この開閉方向は、ジョグダイヤル４１の回転操作によって開閉制御する方向に一致させている。すなわち、ジョグダイヤル４１をＡ方向の反時計回りに回転操作すると、ブラインドは右側から見て反時計回りに回転制御され、ブラインド間の隙間が狭まって遮光が進み、Ｂ方向の時計回りに回転操作すると、ブラインドは時計回りに回転制御され、ブラインド間の隙間が広がり採光が進む。
【００７０】
また、ジョグダイヤル４１の回転角度に比例して、ブラインドは回転制御され、ジョグダイヤル４１をＡ方向へ回転操作すると、その回転角度に応じてブラインドは左回りに回転制御され、液晶表示素子５の表示は、ブラインドが徐々に左回りに回転する表示の方向（図８の３１７から３２３の方向）に移行する。逆に、Ｂ方向に回転操作すると、その回転角度に応じてブラインドは右回りに回転制御され、液晶表示素子５の表示は、ブラインドが徐々に右回りに回転する表示の方向（図８の３１７から３２３の方向）に移行する。
【００７１】
据え置き型リモートコントロール送信機１は、複数の被制御機器の複数の動作を連続制御することもでき、ここでは、この連続制御をメインメニュー（１０３）の「スペシャル」から選択する。連続制御内容を選択する場合には、図７の１０１で示すメインメニューから、ジョグダイヤル４１をＡ方向、Ｂ方向のいずれかに回転操作し、図９のスペシャルの表示位置へカーソル６を移動させ（１０４）、入力スイッチ１１を入力操作する。
【００７２】
液晶表示素子５の表示画面は、スペシャルメニューの入力モード（２０４）に切り替わる。スペシャルメニューから選択可能な「シアター」「お昼寝」は、上述の複数の被制御機器の複数の制御動作を一連の動作で連続させることが好適な制御動作を組み合わせてなるもので、例えば、「お昼寝」を選択すると、被制御機器である「照明」を消灯制御するととに、「ブラインド」を採光が最小となるように遮光調整制御する制御データが生成され、これらの被制御機器へ送信される。
【００７３】
スペシャルメニューの入力モード（２０４）では、ジョグダイヤル４１をＡ、Ｂのいずれかの方向へ回転操作する毎に、カーソル６が「お昼寝」（２０５）、「シアター」（２０４）、「通常」（２０６）の間で同方向に移動し、入力スイッチ１１の入力操作があったときに、カーソル６の表示位置にある連続制御内容が選択される。「シアター」が選択されると、上記「お昼寝」の連続制御に加えて、「ＤＶＤ」の電源をＯＮとする制御データが生成され、これらの被制御機器へ送信される。尚、「通常」の連続制御内容は、利用者が予め複数の被制御機器の制御内容を任意に設定して登録することが可能で、複数の被制御機器を同時に制御する必要がある汎用の制御を登録することにより、個々の入力操作による制御を行わずに、一度の選択で複数の制御を実行させることができる。
【００７４】
図１０は、本発明の第２の実施の形態を示す据え置き型リモートコントロール送信機５０の液晶表示素子５１に表示されるメインメニューの入力モードを示すもので、第１実施の形態と同一、若しくは相当する構成には、同一番号を付して、以下説明する。第２実施の形態に係るリモートコントロール送信機５０は、乗用車の左右のサイドミラー５２、５３、バックミラー５４を回転動作制御する為に、運転席の側方に固定して設置されている。リモートコントロール送信機５０の設置位置から回転動作制御される各被制御機器５２、５３、５４の方向は固定された方向であるので、液晶表示素子５１には、制御されるサイドミラー５２、５３及びバックミラー５４を示すアイコン（被制御機器と同一番号で図示）が、乗用車の運転席周囲を図示した模式図上に、モートコントロール送信機５０の設置位置からの方向にほぼ一致して表示されている。
【００７５】
被制御機器を選択する図中長方形枠で示すカーソル５５は、アイコン５２、５３、５４間を、リモートコントロール送信機５０の円環状操作部４の回転方向と同一回りで移動し、カーソル５５の表示位置にあるアイコンで表される被制御機器が入力スイッチ１１の入力操作により選択される。
【００７６】
従って、図１０に示すメインメニューでは、実際に据え置き型リモートコントロール送信機５０が設置される位置から、制御する左右のサイドミラー５２、５３、バックミラー５４の方向にほぼ一致して、各被制御機器を表すアイコン５２、５３、５４が液晶表示素子５１に表示されるので、アイコン５２、５３、５４で表される被制御機器を、操作者が誤りなく認識できる。また、アイコン５２、５３、５４間を移動するカーソル５５の移動方向は、円環状操作部４の回転方向に一致するので、違和感なくいずれかの被制御機器へカーソル５５を移動させて選択できる。
【００７７】
右サイドミラー５３の回転位置を調整する場合には、円環状操作部４を回転操作し、図示するように、アイコン５３の表示位置へカーソル５５を移動し、入力スイッチ１１を入力操作し、右サイドミラー５３を被制御機器として選択する。右サイドミラー５３を回転動作制御する回転位置調整モードでは、円環状操作部４の回転操作方向が、右サイドミラー５３の回転制御動作方向に一致し、円環状操作部４の回転操作角度に比例して、右サイドミラー５３が回転する。また、液晶表示素子５１には、円環状操作部４の回転操作によって制御される右サイドミラー５３の回転方向とその回転位置が表示され（図示省略）、操作者は、その表示により回転操作方向と回転操作角度の目安を知ることができる。
【００７８】
上述の第１実施の形態に係る据え置き型リモートコントロール送信機１は、ＲＦ送信手段により制御データを各被制御機器へ送信するので、被制御機器の方向を考慮することなく任意の位置に固定して設置することができ、また、円環状操作部４の回転操作は、操作方向が制約されないので、任意の方向から操作することができる。従って、液晶表示素子５に、所定回転角度毎に同一の表示を繰り返して表示することにより、いずれの方向からも液晶表示素子５の表示を確認し、円環状操作部４を回転操作することができる。
【００７９】
上述の各実施の形態では、操作部４が、ケース２の平面の輪郭全体を覆う大きさとし、外径が長い大型のジョグダイヤル４１とすることにより微小角度の回転操作を容易にしているが、操作部４は、ケース２の一部に取り付けられ、その中心側開口内に液晶表示素子が取り付けられるものであれば、その形状や大きさは任意のものとすることができる。例えば、ケース２に回転自在に取り付けられる操作部であれば、必ずしも円環状である必要はない。円環状に形成されない操作部がケース２に取り付けられる場合には、円若しくは円弧で表れる回転軌跡の回転中心軸側である内側に表示部５１が配設される。
【００８０】
また、円環状操作部４の回転操作面にＬＥＤ等の発光表示手段を取り付け、発光表示手段の点灯若しくは消灯で、選択された特定の制御内容を表すようにしてもよい。
【産業上の利用可能性】
【００８１】
本発明は、操作部の回転操作により、被制御機器を制御する据え置き型リモートコントロール送信機に適している。
【図面の簡単な説明】
【００８２】
【図１】本発明の一実施の形態に係る据え置き型リモートコントロール送信機１の斜視図である。
【図２】据え置き型リモートコントロール送信機１の縦断面図である。
【図３】据え置き型リモートコントロール送信機１の各部を上方から見た分解斜視図である。
【図４】据え置き型リモートコントロール送信機１の各部を下方から見た分解斜視図である。
【図５】据え置き型リモートコントロール送信機１の回路構成を示すブロック図である。
【図６】据え置き型リモートコントロール送信機１の使用状態を示す斜視図である。
【図７】ＴＶの音量制御の際に液晶表示素子５に表示される表示を示す説明図である。
【図８】ブラインドの遮光制御の際に液晶表示素子５に表示される表示を示す説明図である。
【図９】連続制御内容を選択する際に液晶表示素子５に表示される表示を示す説明図である。
【図１０】他の実施の形態に係る液晶表示素子５１に表示される表示を示す説明図である。
【符号の説明】
【００８３】
１      据え置き型リモートコントロール送信機
２      ケース（筐体）
４      円環状操作部
６      液晶表示素子（表示部）
７      マイコン（操作信号生成手段）
８      ＲＦ通信モジュール（送信手段）
９      レバー式検出スイッチ（回転検出手段）
１１    入力スイッチ
１２    入力スイッチ
１３    入力スイッチ
１７    ボール
２１    小径円板部
２１ｂ  ガイド片２１ｂ
２２    大径円板部
２６    下ガイド溝
４１    ジョグダイヤル
４１ａ  中心開口（中心側開口）
【図１】
2010062685.tif 000003
【図２】
2010062685.tif 000004
【図３】
2010062685.tif 000005
【図４】
2010062685.tif 000006
【図５】
2010062685.tif 000007
【図６】
2010062685.tif 000008
【図７】
2010062685.tif 000009
【図８】
2010062685.tif 000010
【図９】
2010062685.tif 000011
【図１０】
2010062685.tif 000012